(57)【要約】【課題】水道用メータ固着用の水道用メータユニットであり、１次側の配管接続用の締付け部品を別途設けることなく、１次側配管に応じて向きを変えながら確実に接続でき、１次側配管接続側の大型化を防いで全体のコンパクト性を確保した水道用メータユニットを提供する。【解決手段】ベース体２の長手方向に水道用メータ５を圧着固定する１次側取付部材３と２次側取付部材４とを配設し、１次側取付部材３は、ベース体２に設けるスライドケース２０と、スライドケース２０に移動可能に設けた圧着部材２１と、スライドケース２０に螺合可能に設けたエルボ部材２２からなり、スライドケース２０の内周面２４に設けた係止部３０と、エルボ部材２２にはエルボ部材２２を螺合する際に係止部３０と当接する当接部４５を備え、１次側取付部材３をベース体２に配設する際に、係止部３０と当接部４５との間に所定の隙間Ｓ１を備えた。【選択図】図１
2017133250.tif 000002
【特許請求の範囲】
【請求項１】
ベース体の長手方向に水道用メータを圧着固定する１次側取付部材と２次側取付部材とを配設し、前記１次側取付部材は、前記ベース体に設けるスライドケースと、スライドケースに移動可能に設けた圧着部材と、スライドケースに螺合可能に設けたエルボ部材からなり、前記スライドケースの内周面に設けた係止部と、前記エルボ部材には当該エルボ部材を螺合する際に前記係止部と当接する当接部を備え、前記１次側取付部材を前記ベース体に配設する際に、前記係止部と前記当接部との間に所定の隙間を備えたことを特徴とする水道用メータユニット。
【請求項２】
ベース体の長手方向に水道用メータを圧着固定する１次側取付部材と２次側取付部材とを配設し、前記１次側取付部材は、前記ベース体に設けるスライドケースと、スライドケースに移動可能に設けた圧着部材と、スライドケースに螺合可能に設けたエルボ部材からなり、前記エルボ部材の螺合側先端面と、このエルボ部材を螺合する際に当接する前記圧着部材の当接面とを備え、前記１次側取付部材を前記ベース体に配設する際に、前記螺合側先端面と前記当接面との間に所定の隙間を備えたことを特徴とする水道用メータユニット。
【請求項３】
前記スライドケースの内周面と前記エルボ部材の外周面との間には摺動抵抗部材が介在され、この摺動抵抗部材で前記エルボ部材を任意の位置で仮止め固定にした請求項１又は２に記載の水道用メータユニット。
【請求項４】
前記エルボ部材の回転軌道上に、このエルボ部材を前記ベース体の一部に係合可能に設けた請求項１乃至３の何れか１項に記載の水道用メータユニット。
【請求項５】
前記スライドケースに一体又は別体に取付部を設け、この取付部を前記ベース体の一次側に取付けた請求項１乃至４の何れか１項に記載の水道用メータユニット。
【発明の詳細な説明】
【技術分野】
【０００１】
本発明は、例えば、水道の使用量を計量するための水道用メータ取付け用の水道用メータユニットであって、特に、メータユニットの一次側配管接続部分に関する。
【背景技術】
【０００２】
近年、例えば、集合住宅において各戸の水道用メータを新規に設置する場合、水道用メータユニットの使用が義務付けられることが多くなっており、また、戸建て住宅の場合にも、水道用メータユニットが使用されることが多い。この種のメータユニットは、敷設時に確実に一次側の配管を接続するために、通常、この一次側配管に応じて接続側の向きを変えながら固定できるようになっている。
【０００３】
例えば、特許文献１や特許文献２のメータユニットでは、一次側配管接続用の接続部材としてエルボが回転可能に取付けられ、このエルボの回転軸に対して直角方向から止めねじや平行ピンが締付けられている。これにより、一次側配管の向きに応じて回転させたエルボが止めねじや平行ピンにより抜け止め状態で固定され、このエルボに一次側配管を接続可能になる。
【０００４】
一方、特許文献３や特許文献４では、水道用メータ保持用のホルダーに止め輪を介して接続部材であるエルボが抜け止め状態で回転可能に取付けられ、このエルボは、回転軸と平行に形成された複数の係止穴やビス穴を介して、止めねじ等により所定の向きに固定されて回転が防がれている。この場合、係止穴やビス穴は、エルボに形成されたフランジや係止片に設けられ、このフランジや係止片の固定位置を変えてエルボを所定の向きに保持可能になっている。
【０００５】
特許文献５においては、量水器ユニットの入口側に形成されたスリーブにガスケットを介して締付ナットが螺着され、この締付ナットの締付けによりエルボを所定方向に固定可能になっている。
また、一次側にユニオンナットが設けられ、このユニオンナットを介して、ユニオンねじが形成されたエルボを所定向きに接続できるようにした水道用メータユニットも一般に知られている。
【先行技術文献】
【特許文献】
【０００６】
【特許文献１】特開２０１５−５２２１５号公報
【特許文献２】特開２００７−３２２３８７号公報
【特許文献３】特許第４２９１８０８号公報
【特許文献４】特許第３６１２４８３号公報
【特許文献５】特許第４３９５７２４号公報
【発明の概要】
【発明が解決しようとする課題】
【０００７】
特許文献１乃至特許文献４において、止めねじや平行ピンなどの別の締付け部品を用いてエルボを締付け固定する場合、部品点数の増加に加えて、メータユニットの取付部分へのめねじや係止穴の加工も別途必要になる。メータユニットの組立時には、止めねじや平行ピンの組込みによる組立て工数も増加し、作業が複雑化したり作業時間も増加するという問題も有している。
特に、特許文献１や特許文献２においては、エルボの回転軸の直角方向から止めねじや平行ピンを締付けていることにより、エルボの挿入穴とは異なる方向からの加工が必要になって加工作業が複雑化し、組立て作業もより煩雑になる。エルボを回転軸の直角方向から固定した場合、シール用のＯリングに変形や偏芯が発生して漏れが生じたり、水道用メータの締付け用ハンドルの回転操作が重くなるおそれがあるので、各部品の寸法精度を高める必要がある。
さらには、止めねじや平行ピンを設ける場合、組付けを忘れたり、或は、紛失したり、悪戯により故意に緩められる可能性があり、これらの場合、水圧でエルボが傾いたり飛び出したりして安全性が低下し、メータユニットとしての品質の低下にもつながる。
【０００８】
一方、特許文献５のように締付ナットや、ユニオンナットを用いてエルボを接続する場合、量水器ユニット入口側にスリーブや締付ナット、或は、ユニオンナットを設けるために、メータユニットの一次側接続部を軸方向に延長することになる。これにより、一次側接続部から二次側接続部までの寸法が大きくなって一次側配管の接続が制限されたり、全体が大型化してメータユニットの設置場所が制限されるおそれがある。
【０００９】
本発明は、上記の課題点を解決するために開発したものであり、その目的とするところは、水道用メータ固着用の水道用メータユニットであり、１次側の配管接続用の締付け部品を別途設けることなく、１次側配管に応じて向きを変えながら確実に接続でき、１次側配管接続側の大型化を防いで全体のコンパクト性を確保した水道用メータユニットを提供することにある。
【課題を解決するための手段】
【００１０】
上記目的を達成するため、請求項１に係る発明は、ベース体の長手方向に水道用メータを圧着固定する１次側取付部材と２次側取付部材とを配設し、１次側取付部材は、ベース体に設けるスライドケースと、スライドケースに移動可能に設けた圧着部材と、スライドケースに螺合可能に設けたエルボ部材からなり、スライドケースの内周面に設けた係止部と、エルボ部材には当該エルボ部材を螺合する際に係止部と当接する当接部を備え、１次側取付部材をベース体に配設する際に、係止部と前記当接部との間に所定の隙間を備えた水道用メータユニットである。
【００１１】
請求項２に係る発明は、ベース体の長手方向に水道用メータを圧着固定する１次側取付部材と２次側取付部材とを配設し、１次側取付部材は、ベース体に設けるスライドケースと、スライドケースに移動可能に設けた圧着部材と、スライドケースに螺合可能に設けたエルボ部材からなり、エルボ部材の螺合側先端面と、このエルボ部材を螺合する際に当接する圧着部材の当接面とを備え、１次側取付部材をベース体に配設する際に、螺合側先端面と当接面との間に所定の隙間を備えた水道用メータユニットである。
【００１２】
請求項３に係る発明は、スライドケースの内周面とエルボ部材の外周面との間には摺動抵抗部材が介在され、この摺動抵抗部材でエルボ部材を任意の位置で仮止め固定にした水道用メータユニットである。
【００１３】
請求項４に係る発明は、エルボ部材の回転軌道上に、このエルボ部材をベース体の一部に係合可能に設けた水道用メータユニットである。
【００１４】
請求項５に係る発明は、スライドケースに一体又は別体に取付部を設け、この取付部をベース体の一次側に取付けた水道用メータユニットである。
【発明の効果】
【００１５】
請求項１に係る発明によると、水道用メータ固着用の水道用メータユニットであり、１次側取付部材をベース体に配設する際に、スライドケース内周面の係止部と、エルボ部材の当接部との間に所定の隙間を備えていることにより、エルボ部材を回転させることで１次側配管の向きに応じてエルボ部材の向きを変えつつこれらを確実に接続でき、１次側取付部材の大型化や延長を防いで全体のコンパクト性も確保できる。これにより、１次側の配管接続用の止めねじや平行ピンなどの締付け部品を別途設ける必要もないため、部品点数の増加を抑えることができ、スライドベースに締付け部品用の加工を施す必要もない。スライドケースの係止部をエルボ部材の螺合方向に設けているため、これらの加工軸が同じになって成形容易になり、組立ても簡略化する。エルボ部材に円周方向から片寄った力が加わることがないためシール性を確保でき、部品の組付け忘れや紛失も回避し、悪戯などにより故意に緩められることも防止できる。水圧でエルボ部材が傾いたり飛び出したりするおそれもないため安全性も向上して全体の品質が高まる。
【００１６】
請求項２に係る発明によると、１次側取付部材をベース体に配設する際に、スライドケースの係止部とエルボ部材の当接部との間の隙間に加えて、エルボ部材の螺合側先端面と、圧着部材の当接面との間に設けた所定の隙間を介して、エルボ部材を回転させて所定の向きに調節できる。これにより、係止部と当接部、或は螺合側先端面と当接面との何れか一方が当接するまでにエルボ部材の回転を規制でき、係止部と当接部との当接前に螺合側先端面と当接面とを当接させることで、エルボ部材の回転規制位置を任意に設定することもできる。
【００１７】
請求項３に係る発明によると、エルボ部材を摺動抵抗部材で円周方向から調心しながら仮止め固定してエルボ部材の変形や偏芯を防いで漏れを防止し、かつ、エルボ部材に円周方向から片寄った力が加わることを防ぎながら手動による回転操作でエルボ部材の所定向きに保持でき、外部配管の向きに対応して強固にエルボ部材を接続できる。
【００１８】
請求項４に係る発明によると、エルボ部材をベース体の一部に係合可能に回転していることで、ベース体がストッパとなってエルボ部材の１回転以上の回転を規制して抜け止めを図りつつ、あらゆる１次側配管の向きに対応してエルボ部材を回転させながら確実かつ強固に接続できる。
【００１９】
請求項５に係る発明によると、取付部を介してベース体の一次側にスライドケースを取付けでき、水道用メータの種類や大きさ、ベース体の長さ等に応じて２次側取付部材との間隔を調整しながら、１次側取付部材を所定位置に取付けて１次側配管に接続可能に設けることができる。設置場所や配管状況に応じて取付部を任意の態様に形成できるため、スライドケースやベース体を簡略化することもできる。
【図面の簡単な説明】
【００２０】
【図１】本発明における水道用メータユニットの実施形態を示す一部切欠き側面図である。
【図２】図１の要部拡大断面図である。
【図３】図２のエルボ部材を回転した状態を示す要部拡大断面図である。
【図４】エルボ部材の回転状態を示した一部省略左側図面である。
【図５】本発明の水道用メータユニットの他の実施形態を示す断面図である。
【図６】本発明の水道用メータユニットの更に他の実施形態を示す断面図である。
【発明を実施するための形態】
【００２１】
以下、本発明における水道用メータユニットの実施形態を図面に基づいて説明する。図１においては、本発明のメータユニットの実施形態を示しており、図２、図３においては、図１の水道用メータユニットの一部を省略した一次側付近を示している。
図において、水道用メータユニット（以下、メータユニット本体１という）は、ベース体２、１次側取付部材３、２次側取付部材４を有し、これら１次側取付部材３と２次側取付部材４とはベース体２の長手方向に配設され、その間に水道用メータ５を圧着固定可能に設けられている。ベース体２には、水道用メータ５の一次側支受け用の支受部材６、二次側支受け用の支受部７がそれぞれ着脱可能に設けられ、図示しないが、これらは水道用メータ５の大きさや面間距離などに応じてその間隔を調整可能になっている。
【００２２】
図１に示すように、ベース体２は、例えば、鋼材等の金属製板材からプレス絞り成形加工により長尺状に形成される。このベース体２は、下向きに開口し、両側の垂下面１０と上面１１とを有する断面略コ字形状のベース部１２と、このベース部１２両側のフランジ部１３、１３とを有している。ベース体２の上面１１の両端付近には、ボルト挿入用の挿通孔１５が２個ずつ形成され、フランジ部１３の外端の中央位置には、アンカーボルト固定用の図示しない切欠溝が形成される。
なお、一般に絞り加工とは、平面を縮めて継ぎ目のない容体形状を形成するプレス加工のことをいう。
【００２３】
１次側取付部材３は、スライドケース２０、圧着部材２１、エルボ部材２２からなり、この１次側取付部材３には、ハンドル２３が取付けられている。
【００２４】
スライドケース２０は、例えば鋳造により適宜の金属で成形され、このスライドケース２０の内周面２４には、水道用メータ５を圧着固定する軸方向に、圧着部材２１の取付側に雌ねじ部２５、エルボ部材２２の取付側にこのエルボ部材２２装着用の装着孔２６、この装着孔２５に続けて比較的小さいピッチからなる平行めねじ２７が形成される。装着孔２６と平行めねじ２７との間には、内周側に突設するように係止部３０が設けられ、本実施形態において、この係止部３０は、平行めねじ２７の端部側の不完全ねじ部により設けられる。
【００２５】
スライドケース２０のベース体２側には、取付部３１が延設して一体に設けられ、この取付部３１にはメネジ３２が設けられている。取付部３１は、六角穴付きボルトからなる２本の固着ボルト３３でベース体２の一次側に取付けられ、これによってスライドケース２０がベース体上面１１の所定位置に設けられる。
【００２６】
図２において、圧着部材２１は略円筒状に形成され、この圧着部材２１の外周側には雄ねじ部３５が形成される。圧着部材２１は、この雄ねじ部３５と前記雌ねじ部２５との螺合によりスライドケース２０に所定ストロークで移動可能に設けられ、水道用メータ５の１次側を圧着可能になっている。圧着部材２１は、エルボ部材２２内周への挿入側とスライドケース２０への螺合側との外径の大きさが異なり、これらの境界には段部面３６が備えられ、この段部面３６が後述するエルボ部材２２との当接面となる。
【００２７】
圧着部材２１の水道用メータ５の圧着側には、雄ねじ部３５よりも拡径した略円筒型の圧着部３７が設けられ、この圧着部３７の水道用メータ５との対向面には圧着面３８、外周に例えば六角形の多角形部３９が形成される。圧着部材２１のエルボ部材２２側の端部外周には、装着溝４０が設けられ、この装着溝４０にはシール用Ｏリング４１が装着される。
【００２８】
エルボ部材２２は、図４に示した止水栓等の外部配管４８と接続可能に略Ｌ字形状に曲折形成された外観をなし、スライドケース２０への取付側端部外周に、このスライドケース２０の平行めねじ２７に螺子込み接続可能な比較的小さいピッチの平行おねじ４２が設けられている。
【００２９】
エルボ部材２２には、おねじ４２に続けて円筒状の装着部４３が後部側に形成され、この装着部４３は、装着孔２６に嵌入可能な外径に形成される。おねじ４２の後端側には、装着部４３の端面からなる当接部４５が備えられ、この当接部４５は、おねじ４２よりも大径に設けられ、おねじ４２と平行めねじ２７とを介してエルボ部材２２をスライドケース２０に螺合する際に、係止部３０と係止可能に設けられる。１次側取付部材３のベース体２への配設時には、係止部３０と当接部４５との間には所定の隙間Ｓ１が備えられる。
【００３０】
エルボ部材２２の装着部４３の外周には、環状の凹状溝４６が形成され、この凹状溝４６に摺動抵抗部材５０が装着される。これにより、摺動抵抗部材５０は、スライドケース内周面２４とエルボ部材の外周面５１との間に介在され、この摺動抵抗部材５０により手動回転したエルボ部材２２を任意の位置で仮止め固定にしている。
【００３１】
エルボ部材２２の装着部４３内周にはシール面５２が形成され、このシール面５２に圧着部材２１の挿入側外周面部５３が挿入される。この場合、Ｏリング４１がシール面５２に液密に接することにより、エルボ部材２２と圧着部材２１とがシールされ、このＯリング４１によりスライドケース２０とエルボ部材２２との間の外部漏れや、スライドケース２０と圧着部材２１との間の外部漏れも防止される。
エルボ部材２２の外部配管４８との接続端面側には、ガスケットシール面５４が設けられ、外部配管４８との接続側外周には、ユニオンナット５５が装着される。
【００３２】
摺動抵抗部材５０は、例えば、ゴムや樹脂、繊維体などの弾性材を材料として環状に設けられ、エルボ部材２２の回転時にはスライドケース２０との間に摩擦力を発生し、この摩擦力により回転を抑止しながらエルボ部材２２を手動で回転可能に設け、しかも、手動を停止した任意の回転位置でエルボ部材２２を保持可能にしている。この機能を確保するために、摺動抵抗部材５０は、エルボ部材２２の螺子込み時の軸方向の推進力に対向できる摺動抵抗を発揮でき、回転停止時には所定の摺動抵抗を円周方向に発揮してエルボ部材２２を位置保持する材質により形成されている。摺動抵抗部材５０は、エルボ部材２２を位置保持可能であれば、環状以外の形状であってもよく、また、シール性が要求されることもない。
【００３３】
エルボ部材２２は、スライドケース２０への装着後に、おねじ４２と平行めねじ２７とを介して回転可能に設けられる。この場合、エルボ部材２２を有する１次側取付部材３をベース体２に取付けたときに、エルボ部材２２をその螺子込み限度である係止部３０と当接部４５との当接状態よりも１〜１．５ピッチ分程度戻した状態にし、図４において、ガスケットシール面５４が真上を向いた状態から、時計方向と反時計方向にそれぞれ少なくとも９０°回転した水平状態まで調節可能に設けられる。
【００３４】
本実施形態では、図４に示すように、エルボ部材２２の回転軌道上に、このエルボ部材２２のユニオンナット５５がベース体２の一部に係合（当接）可能に設けられる。エルボ部材２２は、図４（ａ）や図４（ｂ）の状態まで回転し、ガスケットシール面５４が真上の状態から左右両側に９０°よりも大きく回転できるようになっている。
【００３５】
なお、上述のような、エルボ部材２２の当接部４５と、スライドケース２０の係止部３０との係止構造に代えて、エルボ部材２２には螺合側先端面６０を設け、この先端面６０を、エルボ部材２２をスライドケース２０に螺合する際に、圧着部材２１の当接面３６に当接可能に設けてもよい。この場合、１次側取付部材３をベース体２に配設する際には、螺合側先端面６０と当接面３６との間には、所定の隙間Ｓ２が備えられる。この隙間Ｓ２は、係止部３０と当接部４５との間の隙間Ｓ１の大きさとは異なっていてもよい。
【００３６】
ハンドル２３は、多角形部３９に嵌合可能な六角形状部位が内周側に形成され、この六角形状部位に多角形部３９を嵌合することで圧着部材２１に一体化される。これにより、ハンドル２３を回転操作したときに圧着部材２１にその回転力を伝達し、この圧着部材２１をスライドケース２０に対して雄ねじ部３５と雌ねじ部２５とを介して進退可能としている。
【００３７】
ハンドル２３は、例えば、ポリアセタール等の樹脂製からなり、多角形部３９にプレスフィット嵌合で取り付けられて圧着部材２１に強固に一体化される。ハンドル２３には図示しない貫通孔が設けられ、この貫通孔を介して水道用メータ５の圧着後などにハンドル２３を固定することもできる。
【００３８】
１次側取付部材３は、上述した構造によってハンドル２３の回動操作により圧着部材２１が回動し、この回動によりスライドケース２０に対して進退して水道用メータ５の１次側を圧着又は圧着解除でき、圧着解除時において、水道用メータ５を１次側取付部材３と２次側取付部材４との間に着脱可能となる。
【００３９】
一方、２次側取付部材４は、ケース部材６２と、固着部材６３と、図示しない逆止弁とを有している。ケース部材６２は、１次側のスライドケース２０と同様に、例えば鋳造により成形され、ベース体２の挿通孔１５と連通する図示しないメネジが設けられる。このメネジに一次側と同様に固着ボルト３３を螺着することで、ケース部材６２、ベース体２が一体化される。
【００４０】
固着部材６３は略筒状に形成され、水道用メータ５の二次側に圧接する圧着面６４を有している。逆止弁は適宜の内部構造に設けられ、二次側からの逆流を防ぐことが可能になっている。この逆止弁はケース部材６２に内蔵され、この上から固着部材６３がケース部材６２に螺合される。
【００４１】
メータユニット本体１に水道用メータ５を圧着固定する場合には、図１に示すように、水道用メータ５を支受部材６、支受部７に載置し、図４においてハンドル２３を右回転させる。これにより圧着部材２１がハンドル２３とともに回転しながら圧着方向に進み、支受部材６、支受部７に載置された水道用メータ５を、調心状態を確保しながら圧着固定できる。この場合、圧着面３８、６４により密封シール性を確保でき、ハンドル２３を必要以上に回転操作しようとしたとしても、支受部材６にハンドル２３と圧着部材２１とが接触してこれらの前進が確実に阻止される。
一方、水道用メータ５を交換などにより取り外す場合には、図４においてハンドル２３を左回転させて圧着を解除する方向に圧着部材２１を後退させることで、水道用メータ５を着脱可能となる。
【００４２】
なお、スライドケース内周面２４の係止部３０は、必ずしも平行めねじ２７に隣接して設ける必要はなく、エルボ部材２２の当接部４５が当接可能であれば、スライドケース内周面２４の任意の位置に設けることができる。一方、当接部４５においても、係止部３０に当接可能であれば、装着部４３の端面以外に設けることができる。
【００４３】
また、取付部３１は、スライドケース２０に対して別体に設けられていてもよく、例えば、ベース体２側に一体に設けられていてもよい。ベース体２は、プレス加工以外の加工手段で設けられていてもよく、例えば、鋳造で取付部３１が一体に成形されていてもよい。
【００４４】
続いて、本発明の上記実施形態におけるメータユニットの組立方法並びに作用を説明する。
先ず、エルボ部材２２の凹状溝４６に摺動抵抗部材５０を装着し、エルボ部材２２のおねじ４２を圧着部材２１装着前のスライドケース２０の平行めねじ２７に螺子込み、図３に示すように、当接部４５を係止部３０に当接させた状態にする。このように当接部４５が係止部３０に当接することにより、前進したエルボ部材２２のスライドケース２０への螺子込みが完了する。なお、図３や図２では、後述する説明の便宜のため、後から装着するスライドケース２０も含めて図示している。
【００４５】
この螺子込み完了状態から、エルボ部材２２を螺子込み方向と逆方向に反転させ、ねじピッチ１〜１．５程度後退させ、図２に示すように、エルボ部材２２をガスケットシール面５４が真上となった状態にする。
【００４６】
この場合、エルボ部材２２の外周に摺動抵抗部材５０を装着し、この摺動抵抗部材５０が圧縮変形した状態でエルボ部材２２がスライドケース内周面２４に摺接することで、エルボ部材２２を任意の位置で仮止め固定しながら維持でき、エルボ部材２２のスライドケース２０への仮固定が完了する。摺動抵抗部材５０は、作業者がその摩擦力に抗してエルボ部材２２を回転できる程度の保持力を有しており、一次側配管の接続後にも、その向きを保持してエルボ部材２２の緩みを防止可能である。
【００４７】
この状態で、スライドケース２０の雌ねじ部２５に対して、ハンドル２３を装着した圧着部材２１の雄ねじ部３５を螺子込むようにする。このとき、図３に示すように、圧着部材２１の当接面３６がエルボ部材２２の螺合側先端面６０に当接したときに、圧着部材２１のスライドケース２０への装着が完了となる。
【００４８】
次に、上記の仮組みしたエルボ部材２２、ハンドル２３を有する圧着部材２１、スライドケース２０からなる１次側取付部材３を、ベース体２の上面１１の一次側に載置し、取付部３１のメネジ３２に固着ボルト３３を螺合してベース体２に固定する。
【００４９】
このとき、当接部４５を係止部３０に当接した後に反転させ、所定位置に仮固定することでエルボ部材２２を正確に配置しながら全体を簡単に組み込みでき、エルボ部材２２は、図２に示すように、スライドケース２０や圧着部材２１と当接する手前の状態で、おねじ４２と平行めねじ２７とによりスライドケース２０に対して回転可能な状態となる。これによって、エルボ部材２２を回転位置で保持するための別部品を設けることなく部品点数や加工工数を削減し、おねじ４２や平行めねじ２７を軸方向に沿って容易に加工可能となる。
【００５０】
当接部４５と係止部３０との間には隙間Ｓ１が形成され、また、螺合側先端面６０と当接面３６との間には隙間Ｓ２が形成される。このため、エルボ部材２２は、おねじ４２と平行めねじ２７との螺合を介して、圧着部材２１側に、ねじピッチ１〜１．５程度回転移動可能となる。
一方、エルボ部材２２は、おねじ４２と平行めねじ２７とを介して圧着部材２１と反対側にも、ねじピッチ１〜１．５程度回転可能となっている。
【００５１】
図４において、１次側取付部材３の固定後には、エルボ部材２２のガスケットシール面５４が真上の状態から、エルボ部材２２を時計回り或は反時計回りに９０°以上回転して水平位置を越えたときに、エルボ部材２２もしくはユニオンナット５５がベース体２の一部に係合（干渉）する。これにより、ベース体２がエルボ部材２２のストッパとなってその回転規制部材として機能し、別途の係止機構を設けることなく螺子込み接続を利用してエルボ部材２２のスライドケース２０からの脱落を防止できる。
【００５２】
外部配管４８を接続する際には、この外部配管４８の向きに応じてエルボ部材２２を時計回り或は反時計回りにそれぞれ少なくとも９０°程度まで回転して接続方向を合わせ、この状態でエルボ部材２２に容易に配管接続作業をおこなうことができる。しかも、おねじ４２と平行めねじ２７のピッチを比較的小さく設けることで、回転時のエルボ部材２２の進退量をごく少なくして外部配管接続時への悪影響を抑えている。
【００５３】
上記のように、スライドケース２０への螺合構造によりエルボ部材２２の向きを調節できることから、一次側接続部から二次側接続部までの寸法の拡大を抑えて余裕を持たせつつ一次側の外部配管４８を接続でき、メータユニット全体を小型化して狭い配管スペースへの設置も可能となる。
【００５４】
なお、上記の組立方法以外にも、予め圧着部材２１をスライドケース２０に装着しておき、この状態でエルボ部材２２を螺子込んで螺合側先端面６０を当接面３６に当接させるようにしてもよい。この場合、当接後にエルボ部材２２を反転させて圧着部材２１から離すか、或は、圧着部材２１を反転させてエルボ部材２２から離すことにより所定の隙間を設け、この隙間を介して配管接続作業に必要なエルボ部材２２の回転をおこなうことができる。さらに、螺合側先端面６０と当接面３６とを当接させる場合、当接部４５と係止部３０とを省略することも可能になる。
【００５５】
図５においては、本発明の水道用メータユニットの他の実施形態を示している。なお、これ以降の実施形態において、上記実施形態と同一部分は同一符号によって表し、その説明を省略する。
この実施形態では、エルボ部材の代わりに直管部材７０をスライドケース２０に螺合し、直管部材７０に設けた当接部７１をスライドケース２０の係止部３０に当接可能に設けた状態で、１次側取付部材３を図１に示したベース体２に配設したものである。このように、直管部材７０を前記実施形態と同様の螺子込み構造に設けることにより、スライドケース２０や圧着部材２１を共通部品とし、直管部材７０により一次側がストレート接続タイプのメータユニットを構成できる。
【００５６】
この場合、直管部材７０を反転させる必要はなく、当接部７１が係止部３０に当接固定した状態で、直管部材７０の先端側に設けた螺合側先端面７２が当接面３６に当接させることにより、圧着部材２１を装着し、１次側取付部材３の組立てを完了できる。このため、摺動抵抗部材も必要なく、部品点数を削減可能となる。
【００５７】
図６においては、本発明の水道用メータユニットの更に他の実施形態を示している。
この実施形態では、圧着部材８０の内周にシール面８１が形成され、このシール面８１にエルボ部材８２が挿入される。エルボ部材８２の挿入側外周には装着溝部８３が形成され、この装着溝部８３にシール用Ｏリング８４が装着され、このＯリング８４がシール面８１に液密に接触して圧着部材８０とエルボ部材８２とがシールされて外部漏れが防がれる。このように、圧着部材８０とエルボ部材８２との挿入関係を逆に設けた場合にも、前記実施形態と同様の機能を発揮する。
【００５８】
また、図示しないが、スライドケースのエルボ部材接続側におねじを設け、このおねじに螺合するめねじを介してエルボ部材を螺合させた構造としてもよい。この場合、スライドケースに凹状溝を設け、この凹状溝に摺動抵抗を発揮しつつシール性を有する摺動抵抗部材を装着すれば、この摺動抵抗部材によりエルボ部材をスライドケースに対して回転可能にしつつ向きを保持でき、これらの間からの流体漏れを防止できる。
【符号の説明】
【００５９】
１  メータユニット本体
２  ベース体
３  １次側取付部材
４  ２次側取付部材
５  水道用メータ
２０  スライドケース
２１  圧着部材
２２  エルボ部材
２４  内周面
３０  係止部
３１  取付部
３６  当接面
４５  当接部
５１  外周面
５０  摺動抵抗部材
６０  螺合側先端面
Ｓ１、Ｓ２  隙間
【図１】
2017133250.tif 000003
【図２】
2017133250.tif 000004
【図３】
2017133250.tif 000005
【図４】
2017133250.tif 000006
【図５】
2017133250.tif 000007
【図６】
2017133250.tif 000008